【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
一定地域に存在する市外局番と市内局番と「００００」から「９９９９」の連続加入者番号を結合する複数の調査対象電話番号の履歴を調査する電話番号履歴情報調査提供装置において、
前記複数の調査対象電話番号を記憶する電話番号テーブルと、
前記電話番号テーブルから取得した各調査電話番号に対して、複数のＩＳＤＮ回線を用いて発信し、デジタル交換機から返送される理由表示をそれぞれ収集して瞬時に電話切断し各調査対象電話番号の使用状況調査を実行し、それぞれ１つの調査対象電話番号の調査完了後、相手交換機の負荷緩和期間に亘って前記ＩＳＤＮ回線毎に発信停止を行い、それぞれ次の調査対象電話番号へ連続発信する複数の電話番号発信コンピュータ装置と、
前記調査対象電話番号毎に返信された理由表示を「使用中電話番号」、「未使用電話番号」の大区分に分類した電話番号使用状況データおよび調査した処理日を記憶するハードディスクと、
を備えることを特徴とする電話番号履歴情報調査提供装置。
【請求項２】
一定地域に存在する市外局番と市内局番と「００００」から「９９９９」の連続加入者番号を結合する複数の調査対象電話番号の履歴を調査する電話番号履歴情報調査提供装置において、
前記複数の調査対象電話番号を記憶する電話番号テーブルと、
前記電話番号テーブルから取得した各調査電話番号に対して、複数のＩＳＤＮ回線を用いて音声情報モードで発信し、デジタル交換機から返送される理由表示をそれぞれ収集して瞬時に電話切断し各調査対象電話番号の使用状況調査を実行し、それぞれ１つの調査対象電話番号の調査完了後、相手交換機の負荷緩和期間に亘って前記ＩＳＤＮ回線毎に発信停止を行い、それぞれ次の調査対象電話番号へ連続発信する複数の電話番号発信コンピュータ装置と、
前記調査対象電話番号毎に返信された理由表示を「使用中電話番号」、「未使用電話番号」の大区分、「使用中電話番号であっても都合取り外し電話番号」の中区分に分類した電話番号使用状況データおよび調査した処理日を記憶するハードディスクと、
を備えることを特徴とする電話番号履歴情報調査提供装置。
【請求項３】
前記複数の電話番号発信コンピュータ装置は、前記使用状況調査を定期的に行い、前記調査対象電話番号毎に、前記デジタル交換機から返送される理由表示、前記処理日、使用状況調査時に判明した移転先あるいは連絡先の番号である新加入者番号を含む電話番号使用状況データを電話番号履歴情報として時系列に蓄積する履歴情報記憶手段をさらに設ける請求項１または２に記載の電話番号履歴情報調査提供装置。
【請求項４】
一定地域に存在する市外局番と市内局番と「００００」から「９９９９」の連続加入者番号を結合する複数の調査対象電話番号の履歴を調査する電話番号履歴情報調査方法において、前記複数の調査対象電話番号を電話番号テーブルへ記憶し、複数の電話番号発信コンピュータ装置が前記電話番号テーブルから取得した各調査電話番号に対して、複数のＩＳＤＮ回線を用いて発信し、デジタル交換機から返送される理由表示をそれぞれ収集して瞬時に電話切断し各調査対象電話番号の使用状況調査を実行し、それぞれ１つの調査対象電話番号の調査完了後、相手交換機の負荷緩和期間に亘って前記ＩＳＤＮ回線毎に発信停止を行い、それぞれ次の調査対象電話番号へ発信し、前記調査対象電話番号毎に返信された理由表示を「使用中電話番号」、「未使用電話番号」の大区分に分類した電話番号使用状況データおよび調査した処理日をハードディスクへ記憶することを特徴とする電話番号履歴情報調査方法。
【請求項５】
全国の市外局番と市内局番と「００００」から「９９９９」の連続加入者番号を結合する複数の調査対象電話番号の履歴を調査する電話番号履歴情報調査方法において、前記複数の調査対象電話番号を電話番号テーブルへ記憶し、複数の電話番号発信コンピュータ装置が前記電話番号テーブルから取得した各調査電話番号に対して、複数のＩＳＤＮ回線を用いて発信し、デジタル交換機から返送される理由表示をそれぞれ収集して瞬時に電話切断し各調査対象電話番号の使用状況調査を実行し、それぞれ１つの調査対象電話番号の調査完了後、相手交換機の負荷緩和期間に亘って前記ＩＳＤＮ回線毎に発信停止を行い、それぞれ次の調査対象電話番号へ発信し、前記調査対象電話番号毎に返信された理由表示を「使用中電話番号」、「未使用電話番号」の大区分に分類した電話番号使用状況データおよび調査した処理日をハードディスクへ記憶する電話番号履歴情報調査方法。
【請求項６】
前記複数の電話番号発信コンピュータ装置は、前記使用状況調査を定期的に行い、前記調査対象電話番号毎に、前記デジタル交換機から返送される理由表示、前記処理日、使用状況調査時に判明した移転先あるいは連絡先の番号である新加入者番号を含む電話番号使用状況データを全国電話番号履歴情報として履歴情報記憶手段へ時系列に蓄積する請求項５に記載の電話番号履歴情報調査方法。
【手続補正２】
【補正対象書類名】明細書
【補正対象項目名】発明の名称
【補正方法】変更
【補正の内容】
【発明の名称】電話番号履歴情報調査装置およびその調査方法
【手続補正３】
【補正対象書類名】明細書
【補正対象項目名】０００７
【補正方法】変更
【補正の内容】
【０００７】
また、本発明は、連続運転の場合は相手交換機の負担を緩和する電話番号履歴情報調査装置を提供することである。
【手続補正４】
【補正対象書類名】明細書
【補正対象項目名】０００９
【補正方法】変更
【補正の内容】
【０００９】
上記目的を達成するために、本発明の電話番号履歴情報調査装置は、例えば、図１に示すように、一定地域に存在する市外局番と市内局番と「００００」から「９９９９」の連続加入者番号を結合する複数の調査対象電話番号の履歴を調査する電話番号履歴情報調査提供装置において、複数の調査対象電話番号を（例えば、ハードディスク１４に）記憶する電話番号テーブルと、電話番号テーブルから取得した各調査電話番号に対して、複数のＩＳＤＮ回線を用いて発信し、デジタル交換機１３から返送される理由表示をそれぞれ収集して瞬時に電話切断し各調査対象電話番号の使用状況調査を実行し、それぞれ１つの調査対象電話番号の調査完了後、相手交換機の負荷緩和期間に亘ってＩＳＤＮ回線毎に発信停止を行い、それぞれ次の調査対象電話番号へ連続発信する複数の電話番号発信コンピュータ装置１２と、調査対象電話番号毎に返信された理由表示を「使用中電話番号」、「未使用電話番号」の大区分（図３参照）に分類した電話番号使用状況データおよび調査した処理日を記憶するハードディスク１４と、を備えることを要旨とする。
【手続補正５】
【補正対象書類名】明細書
【補正対象項目名】００１０
【補正方法】変更
【補正の内容】
【００１０】
また、本発明の電話番号履歴情報調査装置は、例えば、図１に示すように、一定地域に存在する市外局番と市内局番と「００００」から「９９９９」の連続加入者番号を結合する複数の調査対象電話番号の履歴を調査する電話番号履歴情報調査提供装置において、複数の調査対象電話番号を（例えば、ハードディスク１４に）記憶する電話番号テーブルと、電話番号テーブルから取得した各調査電話番号に対して、複数のＩＳＤＮ回線を用いて音声情報モードで発信し、デジタル交換機１３から返送される理由表示をそれぞれ収集して瞬時に電話切断し各調査対象電話番号の使用状況調査を実行し、それぞれ１つの調査対象電話番号の調査完了後、相手交換機の負荷緩和期間に亘ってＩＳＤＮ回線毎に発信停止を行い、それぞれ次の調査対象電話番号へ連続発信する複数の電話番号発信コンピュータ装置１２と、調査対象電話番号毎に返信された理由表示を「使用中電話番号」、「未使用電話番号」の大区分（図３参照）、「使用中電話番号であっても都合取り外し電話番号」の中区分（図３参照）に分類した電話番号使用状況データおよび調査した処理日を記憶するハードディスク１４と、を備えることを要旨とする。
【手続補正６】
【補正対象書類名】明細書
【補正対象項目名】００１１
【補正方法】変更
【補正の内容】
【００１１】
さらに、本発明の電話番号履歴情報調査方法は、図１に示すように、全国の市外局番と市内局番と「００００」から「９９９９」の連続加入者番号を結合する複数の調査対象電話番号の履歴を調査する電話番号履歴情報調査方法において、複数の調査対象電話番号を（例えば、ハードディスク１４内の）電話番号テーブルへ記憶し、複数の電話番号発信コンピュータ装置１２が電話番号テーブルから取得した各調査電話番号に対して、複数のＩＳＤＮ回線を用いて発信し、デジタル交換機１３から返送される理由表示をそれぞれ収集して瞬時に電話切断し各調査対象電話番号の使用状況調査を実行し、それぞれ１つの調査対象電話番号の調査完了後、相手交換機の負荷緩和期間に亘ってＩＳＤＮ回線毎に発信停止を行い、それぞれ次の調査対象電話番号へ発信し、調査対象電話番号毎に返信された理由表示を「使用中電話番号」、「未使用電話番号」の大区分（図３参照）に分類した電話番号使用状況データおよび調査した処理日をハードディスク１４へ記憶することを要旨とする。
【手続補正７】
【補正対象書類名】明細書
【補正対象項目名】００１２
【補正方法】変更
【補正の内容】
【００１２】
本発明の電話番号履歴情報調査装置および方法によれば、電話番号の現在の使用状況情報を得ることができ、さらに過去の情報として電話番号履歴情報を蓄えることができる。また、連続運転の場合は相手交換機の負担を緩和できる。
【手続補正８】
【補正対象書類名】明細書
【補正対象項目名】００１４
【補正方法】変更
【補正の内容】
【００１４】
ユーザは、従来のような高価な機器を購入して装置を設置し独自に電話使用状況調査を行うシステムは不要となり、大幅な事務改善、コストの削減、瞬時の対応、効率的運用を実現できる。例えば各社が大量に所有する顧客情報を独自に「電話番号発信コンピュータ装置」等を利用して調査する必要はなく、各社の大幅なコスト負担を軽減でき、ＮＴＴ交換機への負担も軽減できる。